(57)【要約】【課題】制御装置と放射線撮影装置の通信状態に関わらず、安定した撮影の実施と次撮影の継続が可能であり、かつ撮影後の画像確認を迅速に行うことのできる放射線撮影システムを実現する。【解決手段】放射線画像撮影装置２は、放射線画像の画像データを生成する画像生成手段と、生成した画像データを記憶する画像記憶手段と、画像生成手段を、放射線を検知して自律的に画像データの生成を行うことが可能な撮影待機状態に遷移させる自律駆動手段と、外部の制御装置との間で通信を行う通信手段と、受信した撮影オーダー情報を記憶する予約情報記憶手段と、を備え、通信手段は、画像データを生成する前に対応する撮影オーダー情報が記憶されている場合は当該画像データを制御装置へ送信し、画像データを生成する前に対応する撮影オーダー情報が記憶されていない場合は当該画像データを制御装置へ送信しない。【選択図】図４
2019107348.tif 000002
【特許請求の範囲】
【請求項１】
外部から放射線を受けることで放射線画像の画像データを生成する画像生成手段と、
前記画像生成手段が生成した前記画像データを記憶する画像記憶手段と、
前記画像データの生成を終えた前記画像生成手段を、放射線を検知して自律的に画像データの生成を行うことが可能な撮影待機状態に遷移させる自律駆動手段と、
外部の制御装置との間で通信を行う通信手段と、
前記制御装置から受信した撮影オーダー情報を記憶する予約情報記憶手段と、を備え、
前記通信手段は、
前記画像データを生成する前に対応する前記撮影オーダー情報が前記予約情報記憶手段に記憶されている場合は当該画像データを前記制御装置へ送信し、
前記画像データを生成する前に対応する前記撮影オーダー情報が前記予約情報記憶手段に記憶されていない場合は当該画像データを前記制御装置へ送信しないことを特徴とする放射線画像撮影装置。
【請求項２】
前記画像生成手段が前記画像データを生成することが可能な状態であるか否かを判断する状態判断手段を備え、
前記通信手段は、
外部の放射線照射装置から、前記状態判断手段が判断を行う契機となる照射確認信号を受信することが可能であり、
前記画像生成手段が前記画像データを生成することができない状態であると前記状態判断手段が判断した場合に、放射線の照射を許可しない旨の信号を前記放射線照射装置へ送信することを特徴とする請求項１に記載の放射線画像撮影装置。
【請求項３】
前記通信手段は、検査開始時に、制御装置から、予定している撮影オーダー情報を一括で受信することが可能であり、
前記記憶手段は、前記通信手段が受信した前記撮影オーダー情報を記憶することを特徴とする請求項１又は２に記載の放射線画像撮影装置。
【請求項４】
前記自律駆動手段は、前記制御装置から検査開始の指示を受信したことを契機として、前記画像生成手段を前記撮影待機状態に遷移させることを特徴とする請求項１から３のいずれか一項に記載の放射線画像撮影装置。
【請求項５】
前記自律駆動手段は、前記制御装置からの検査終了の指示を受信したことを契機として、前記撮影待機状態を終了させることを特徴とする請求項４に記載の放射線画像撮影装置。
【請求項６】
前記通信手段は、前記制御装置から撮影予定枚数を受信することが可能であり、
前記自律駆動手段は、前記画像生成手段が前記検査予定枚数の画像データの生成を終えたことを契機として前記撮影待機状態を終了させることを特徴とする請求項４に記載の放射線画像撮影装置。
【請求項７】
前記自律駆動手段は、検査予定枚数の撮影を終えてから所定時間に追加撮影要求が無かったことを契機として前記撮影待機状態を終了させることを特徴とする請求項６に記載の放射線画像撮影装置。
【請求項８】
外部から放射線を受けることで放射線画像の画像データを生成する画像生成手段と、
前記画像生成手段が生成した前記画像データを記憶する画像記憶手段と、
前記画像データの生成を終えた前記画像生成手段を、放射線を検知して自律的に画像データの生成を行うことが可能な撮影待機状態に遷移させる自律駆動手段と、
外部の制御装置との間で通信を行う通信手段と、
前記制御装置から受信した撮影オーダー情報を記憶する予約情報記憶手段と、を備え、
前記通信手段は、
前記画像データを生成する前に対応する前記撮影オーダー情報が前記予約情報記憶手段に記憶されている場合は当該画像データを前記制御装置へ送信し、
前記画像データを生成する前に対応する前記撮影オーダー情報が前記予約情報記憶手段に記憶されていない場合は当該画像データ及び当該画像データに前記撮影オーダー情報が紐づけられていないことを示す情報を前記制御装置へ送信することを特徴とする放射線画像撮影装置。
【請求項９】
請求項１から８のいずれか一項に記載の放射線画像撮影装置と、
前記放射線撮影装置へ撮影オーダー情報を送信することが可能であるとともに、前記放射線画像撮影装置から画像データを受信することが可能な制御装置と、
前記放射線画像撮影装置へ向けて放射線を照射する放射線照射装置と、を備えることを特徴とする放射線撮影システム。
【発明の詳細な説明】
【技術分野】
【０００１】
本発明は、放射線画像撮影装置及びこの装置を備える放射線撮影システムに関する。
【背景技術】
【０００２】
放射線撮影装置は、制御装置から撮影開始を指示する信号を受信することで放射線画像を生成する（放射線を検出する）ことが可能な状態へと遷移し、放射線画像を生成した後はその画像データを制御装置へ送信するよう構成されていることが一般的である。このため、制御装置と放射線撮影装置との間で通信を行うことができない場合には、撮影を行うことができないという問題を抱えている。
制御装置と放射線撮影装置とを有線接続する場合、あるいは一般撮影室等の良好な通信環境下において無線接続する場合には、こうした問題が発生することは稀である。しかし、手術室等の通信環境の良くない場所において無線接続する場合は、安定して撮影を継続することが困難となってしまうことが多々ある。
【０００３】
そこで、従来、特許文献１に記載されたような放射線撮影システムが提案されている。この放射線撮影システムは、制御装置と放射線撮影装置との通信状態に応じて、スレーブモードとスタンドアロンモードの二種類の撮影モードを使い分けるようになっている。
スレーブモードは、初期状態として設定されるとともに、制御装置と放射線撮影装置とが通信可能な場合に用いる撮影モードで、放射線撮影装置は制御装置からの撮影開始要求に基づいて電荷の蓄積・読出し等を行い、制御装置へ画像を送信する。
スタンドアロンモードは、通信不能の場合に用いる撮影モードで、放射線撮影装置が自律的に放射線を検知して電荷の蓄積・読出し等を行い、内部メモリーに画像データを記憶する。
このようにすることで、制御装置と放射線撮影装置間の通信が不通となった場合であっても、撮影を継続することが可能となる。
【先行技術文献】
【特許文献】
【０００４】
【特許文献１】特開２０１６−２１４４０１号公報
【発明の概要】
【発明が解決しようとする課題】
【０００５】
特許文献１に記載された放射線撮影システムでは、制御装置と放射線撮影装置との通信状態に応じて撮影モードを切り替えるため、通信状態が不安定で通信可能・不能を繰り返す環境下で用いる場合や、何らかのトラブルで撮影直前に通信不能となる場合には、撮影をスムーズに進めることができないという問題がある。
また、特許文献１に記載された放射線撮影システムは、事前に制御装置から放射線撮影装置へ送信される撮影条件に基づいて駆動するため、予め撮影数が決められていない場合や、写損・再撮影を挟んだ場合には、適切に撮影や画像の確認を継続することができないという問題も抱えている。
【０００６】
本発明は、上記課題に鑑みてなされたもので、制御装置と放射線撮影装置の通信状態に関わらず、安定した撮影の実施と次撮影の継続が可能であり、かつ撮影後の画像確認を迅速に行うことのできる放射線撮影システムを実現することを目的とする。
【課題を解決するための手段】
【０００７】
上記課題を解決するため、本発明に係る放射線画像撮影装置は、
外部から放射線を受けることで放射線画像の画像データを生成する画像生成手段と、
前記画像生成手段が生成した前記画像データを記憶する画像記憶手段と、
前記画像データの生成を終えた前記画像生成手段を、放射線を検知して自律的に画像データの生成を行うことが可能な撮影待機状態に遷移させる自律駆動手段と、
外部の制御装置との間で通信を行う通信手段と、
前記制御装置から受信した撮影オーダー情報を記憶する予約情報記憶手段と、を備え、
前記通信手段は、
前記画像データを生成する前に対応する前記撮影オーダー情報が前記予約情報記憶手段に記憶されている場合は当該画像データを前記制御装置へ送信し、
前記画像データを生成する前に対応する前記撮影オーダー情報が前記予約情報記憶手段に記憶されていない場合は当該画像データを前記制御装置へ送信しないことを特徴とする。
【発明の効果】
【０００８】
本発明によれば、制御装置と放射線撮影装置の通信状態に関わらず、安定した撮影の実施と次撮影の継続が可能であり、かつ撮影後の画像確認を迅速に行うことのできる放射線撮影システムを実現することができる。
【図面の簡単な説明】
【０００９】
【図１】本発明の実施形態に係る放射線撮影システムの構成を表すブロック図である。
【図２】図１の放射線撮影システムが備える放射線画像撮影装置の構成を表すブロック図である。
【図３】図１の放射線撮影システムが備えるコンソールの構成を表すブロック図である。
【図４】図１の放射線撮影システムを用いた検査の流れを表すラダーチャートである。
【図５】同実施形態の変形例に係る放射線撮影システムを用いた検査の流れを表すラダーチャートである。
【図６】同実施形態の変形例に係る放射線撮影システムを用いた検査の流れを表すラダーチャートである。
【図７】同実施形態の変形例に係る放射線撮影システムを用いた検査の流れを表すラダーチャートである。
【図８】同実施形態の変形例に係る放射線撮影システムを用いた検査の流れを表すラダーチャートである。
【図９】同実施形態の変形例に係る放射線撮影システムを用いた検査の流れを表すラダーチャートである。
【図１０】同実施形態の変形例に係る放射線撮影システムの構成を表すブロック図である。
【図１１】図１０の放射線撮影システムが備える携帯端末の構成を表すブロック図である。
【図１２】図１０の放射線撮影システムを用いた検査の流れを表すラダーチャートである。
【図１３】図１２の続きである。
【図１４】図１０の放射線撮影システムにおける各種情報の管理方法の一例である。
【発明を実施するための形態】
【００１０】
以下、図面を参照して本発明の実施の形態について詳細に説明する。ただし、発明の範囲は、図示例に限定されるものではない。
【００１１】
〔放射線撮影システムの構成〕
まず、本実施形態に係る放射線撮影システムの構成について説明する。図１は、本実施形態の放射線撮影システム１００の構成を表すブロック図である。
本実施形態の放射線撮影システム１００は、図１に示したように、放射線照射装置１や、放射線画像撮影装置（以下撮影装置２）、コンソール３等で構成されている。
また、放射線撮影システム１００は、図示しない放射線科情報システム（Radiology Information System：ＲＩＳ）や、画像記憶通信システム（Picture Archiving and Communication System：ＰＡＣＳ）等と接続可能となっている。
【００１２】
放射線照射装置１は、ジェネレーター１１、曝射スイッチ１２、放射線源１３等を備えている。
ジェネレーター１１は、曝射スイッチ１２が操作されたことに基づいて、予め設定された放射線照射条件（管電圧や管電流、照射時間（ｍＡｓ値）等）に応じた電圧を放射線源１３に印加することが可能に構成されている。
放射線源１３（管球）は、図示しない回転陽極やフィラメント等を有している。そして、ジェネレーター１１から電圧が印加されると、フィラメントが印加された電圧に応じた電子ビームを回転陽極に向けて照射し、回転陽極が電子ビームの強度に応じた線量の放射線Ｘ（Ｘ線等）を生成するようになっている。
【００１３】
なお、図１には、各部１１〜１３が別々に分かれたものを例示したが、これらは一体となっていてもよい。
また、図１には、曝射スイッチ１２がジェネレーター１１に接続されたものを例示したが、曝射スイッチ１２は他の装置（例えば図示しない操作卓）に備えられていてもよい。
また、放射線照射装置１は、撮影室内に据え付けてもよいし、回診車等に組み込むことで移動可能に構成してもよい。
【００１４】
撮影装置２は、撮影台と一体化された専用機型又は可搬型（カセッテ型）の装置であり、コンソール３と有線又は無線で通信可能に接続されている。
そして、撮影装置２は、外部から受ける放射線に応じた放射線画像の画像データを生成することが可能となっている。
なお、撮影装置２の詳細については後述する。
【００１５】
コンソール３は、ＰＣや携帯端末又は専用の装置によって構成された本発明における制御装置であり、放射線照射装置１や撮影装置２等と有線又は無線で通信可能に接続されている。
そして、コンソール３は、外部装置（ＲＩＳ等）からの撮影オーダーやユーザーによる操作に基づいて、放射線照射装置１や撮影装置２の各種撮影条件（例えば、撮影する部位等の被検者に関する条件や、管電圧や管電流、照射時間等の放射線の照射に関する条件）を設定することが可能となっている。
なお、コンソール３の詳細についても後述する。
【００１６】
〔放射線画像撮影装置の構成〕
次に、上記放射線撮影システム１００を構成する撮影装置２の詳細について説明する。図２は、撮影装置２の構成を表すブロック図である。
撮影装置２は、図２に示したように、制御部２１や、放射線検出部２２、読み出し部２３、通信部２４、記憶部２５等を備えて構成されており、各部２１〜２５はバス２６によって接続されている。また、図示しない内蔵バッテリーから各部２１〜２５へ電力が供給されるようになっている。
【００１７】
制御部２１は、ＣＰＵ、ＲＡＭ等で撮影装置２の各部の動作を統括的に制御するように構成されている。具体的には、電源スイッチが入れられたことや、放射線照射装置１やコンソール３から所定の制御信号を受信したこと、放射線照射装置１から放射線を受けたこと等を契機として、記憶部２５に記憶されている各種処理プログラムを読み出してＲＡＭに展開し、当該処理プログラムに従って各種処理を実行する。
【００１８】
放射線検出部２２は、放射線の線量に応じた量の電荷を直接的又は間接的に生成する放射線検出素子、及び各放射線検出素子と配線との間に設けられ放射線検出素子と配線との間の通電が可能なオン状態又は通電が不能なオフ状態に切り替え可能なスイッチ素子を有する複数の画素が二次元状に配列された基板を有するものであればよく、従来公知のものを用いることができる。
すなわち、撮影装置２は、シンチレーターを備え、シンチレーターが放射線を受けることで発した光を検知するいわゆる間接型のものであってもよいし、シンチレーター等を介さずに放射線を直接検知するいわゆる直接型のものであってもよい。
【００１９】
読み出し部２３は、複数の放射線検知素子にそれぞれ蓄積された電荷量を信号値として読み出し、各信号値に基づいて画像データを生成することが可能に構成されていればよく、従来公知のものを用いることができる。
すなわち、放射線検出部２２及び読み出し部２３は、本発明における画像生成手段をなす。
【００２０】
通信部２４は、ネットワークインターフェース等により構成され、ＬＡＮ（Local Area Network）、ＷＡＮ（Wide Area Network）、インターネット等の通信ネットワークを介して接続された外部装置との間でデータの送受信を行う。
【００２１】
記憶部２５は、ＨＤＤ（Hard Disk Drive）や半導体メモリー等により構成され、各種画像処理プログラムを含む各種処理プログラム、当該プログラムの実行に必要なパラメーターやファイル等を記憶している。
【００２２】
このように構成された撮影装置２の制御部２１は、記憶部２５に記憶されている処理プログラムに従って以下のような動作をする。
例えば、制御部２１は、放射線検出部２２のスイッチ素子をオフ状態にして放射線検出素子に電荷を蓄積させたり、スイッチ素子をオン状態にして放射線検出素子に蓄積されていた電荷を読み出し部２３へ放出させたりする機能を有している。
【００２３】
また、制御部２１は、通信部２４を用いて外部のコンソール３から撮影オーダー情報を含む各種情報や信号等を受信する機能を有している。
すなわち、制御部２１及び通信部２４は、本発明における通信手段をなす。
本実施形態の撮影オーダー情報には、被検者情報（氏名やＩＤ）、検査ＩＤ情報、撮影部位、撮影方法、コンソールＩＤ情報等が含まれる。
【００２４】
なお、撮影装置２に、各種情報を受信したことを光・音声又は振動等により報知する報知手段を備えるようにしてもよい。
【００２５】
また、制御部２１は、放射線検出部２２及び読み出し部２３が生成した画像データやコンソール３から受信した撮影オーダー情報を記憶部２５に記憶する機能を有している。
すなわち、制御部２１及び記憶部２５は、本発明における画像記憶手段及び予約情報記憶手段をなす。
また、制御部２１は、対応する撮影オーダー情報が記憶されている（予約済の）状態で生成した画像データに、当該撮影オーダー情報を自動的に紐づける機能を有している。
また、制御部２１は、放射線画像が未撮影か撮影済かを表す撮影状態情報、及び画像データがコンソール３へ未送信か送信済かを表す送信状態情報、再撮影の有無を表す再撮影状態情報等を、撮影オーダー情報と共に画像データに紐づける機能を有している。
【００２６】
なお、画像データを記憶する際、各種撮影付帯情報を紐づけるようにしてもよい。撮影付帯情報は、画像データに付帯し当該画像データと撮影オーダー情報とを紐づけるための情報であり、検査全体の情報（患者ＩＤ、患者名、生年月日、年齢、検査コメント等）、撮影予約時刻、撮影時刻、モダリティ情報（立位／臥位／カセッテ）、電波強度、通信断の有無、撮影装置２の角度や位置、追加撮影の有無等を含む。
また、撮影装置２の表面にユーザーが操作可能なスイッチを設けたり、撮影装置２と無線通信可能な携帯端末（スマホ、タブレット、スマートウォッチ、スマートグラス、リモコン等）を備えたりし、スイッチ又は携帯端末の操作に基づいて、各種撮影付帯情報をその後生成した画像データに紐づけるようにしてもよい。
また、予約済の状態で生成した画像データであっても、検査の途中でコンソール３と撮影装置２との通信が途絶えた場合には、撮影オーダー情報との紐づけを行わないようにしてもよい。
【００２７】
また、制御部２１は、電源スイッチが入れられた又は画像データの生成を終えた放射線検出部２２及び読み出し部２３を、放射線を検知して自律的に画像データの生成を行うことが可能な撮影待機状態に遷移させる機能を有している。すなわち、撮影装置２は、コンソール３やその他の制御装置からの制御信号を受信しなくても、照射された放射線を検知したことを契機として直ちに放射線検出部２２の各画素のスイッチ素子をオフ状態とし放射線検出素子に電荷の蓄積が可能な状態に遷移する。
このような機能を有することにより、制御部２１は、本発明における自律駆動手段をなす。
【００２８】
なお、常に撮影待機状態とするのではなく、撮影装置２の表面にユーザーが操作可能なスイッチを設けたり、撮影装置２と無線通信可能な携帯端末を備えたりし、制御部２１に、スイッチ又は携帯端末の操作に基づいて撮影待機状態への遷移、当該状態の終了を行うようにしてもよい。
また、撮影装置２が外部から電力の供給を受けている給電状態の場合は常に撮影待機状態とし、外部から電力の供給を受けていない無給電状態の場合はコンソール３の指示に基づいて撮影待機状態に遷移させるようにしてもよい。
また、ユーザーが指定した撮影装置２のみを撮影待機状態に遷移させるようにしたり、検査開始時に撮影室に属する全ての撮影装置２を撮影待機状態に遷移させるようにしたりしてもよい。
また、特定のモダリティ情報（立位／臥位／カセッテ）に属する撮影装置２のみを撮影待機状態に遷移させるようにしてもよい。
【００２９】
また、制御部２１は、通信部２４を用いて画像データを含む各種情報や信号等を外部のコンソール３へ送信する機能を有している。
また、制御部２１は、画像データを生成する前に対応する撮影オーダー情報が記憶部２５に記憶されている場合（予約済の場合）は当該画像データをコンソール３へ送信し、対応する撮影オーダー情報が記憶部２５に記憶されていない場合（未予約の場合）は当該画像データをコンソール３へ送信しないようにする機能も有している。
【００３０】
なお、紐づけられた情報を含む画像データの送信先は、コンソール３だけでなく、携帯端末、放射線照射装置１、ＰＡＣＳ等としてもよい。
また、紐づけられた情報を含む画像データの送信先は、撮影オーダー情報を送信したコンソール３ではない他の制御装置としてもよい。このようにすれば、撮影時に接続していたコンソール３が故障しても、画像データ、撮影オーダー情報、付帯情報等を他の制御装置へ送信することで、検査及び画像確認を継続することができる。
また、対応する撮影オーダー情報が記憶されていない（未予約の）状態で生成され、撮影オーダー情報と紐づけられていない画像データのリストや参照用のサムネイル画像をコンソール３へ送信するようにしてもよい。
また、画像データを生成する前に対応する撮影オーダー情報が記憶部２５に記憶されていない場合（未予約の場合）は当該画像データ及び当該画像データに撮影オーダー情報が紐づけられていないことを示す情報を自動的にコンソール３へ送信するようにしてもよい。
【００３１】
また、制御部２１は、コンソール３へ送信した後の送信済画像データを記憶部２５から削除する機能を有している。
なお、未予約の状態で生成した画像データについては、画像データと撮影オーダー情報等との紐づけを終えるのを待って削除するようにしてもよい。
【００３２】
その他、撮影装置２に、放射線を検知したことを光・音声又は振動等により報知する報知手段を備えるようにしてもよい。
その際、未予約の状態で放射線を検出した場合と、予約済の状態で放射線を検知した場合とで異なる態様の報知を行うようにしてもよい。
また、撮影装置２に放射線を検知したことをコンソール３へ通知する機能を持たせ、コンソール３にその旨表示させるようにしてもよい。
その際、検出した放射線の強度等の指標を併せてコンソール３に通知するようにしてもよい。
また、検出した画像を解析（ヒストグラム、形状）し、その結果が他の画像と大きく異なる場合には、画像データを送信する際にその旨コンソール３に通知するようにしてもよい。解析結果が大きく異なる場合、未露光の画像や散乱線・二次線による画像である可能性があるため、そのような画像を排除することができる。
【００３３】
〔コンソールの構成〕
次に、上記放射線撮影システム１００を構成するコンソール３の詳細について説明する。図３はコンソール３の構成を表すブロック図である。
コンソール３は、図３に示したように、制御部３１や、通信部３２、記憶部３３、表示部３４、操作部３５等を備えて構成されており、各部３１〜３５はバス３６により接続されている。
【００３４】
制御部３１は、ＣＰＵ、ＲＡＭ等でコンソール３の各部の動作を統括的に制御するように構成されている。具体的には、操作部３５から操作信号が入力されたことや撮影装置２から各種信号やデータを受信したことに基づいて、記憶部３３に記憶されている各種処理プログラムを読み出してＲＡＭに展開し、当該処理プログラムに従って各種処理を実行したり、表示部３４の表示内容を制御したりする。
【００３５】
通信部３２は、ネットワークインターフェース等により構成され、ＬＡＮ、ＷＡＮ、インターネット等の通信ネットワークを介して接続された外部装置との間でデータの送受信を行う。なお、通信部３２は、携帯電話回線等を用いて無線通信を行い、通信ネットワークを介して接続された外部装置との間でデータの送受信を行うものであってもよい。
【００３６】
記憶部３３は、ＨＤＤ（Hard Disk Drive）や半導体メモリー等により構成され、各種処理プログラム、当該プログラムの実行に必要なパラメーターやファイル等を記憶している。
また、記憶部３３は、撮影装置２から受信した画像データを撮影オーダー情報や付帯情報と紐づけて管理するためのデータベースを有している。
【００３７】
表示部３４は、ＬＣＤ等のモニターを備えて構成されており、制御部３１から入力される表示信号の指示に従って各種画面を表示する。
【００３８】
操作部３５は、各種キーを備えたキーボードやマウス等のポインティングデバイス又は表示部３４に積層されたタッチパネルを備えて構成され、キーボードに対するキー操作やマウス操作又はタッチパネルに対するタッチ操作の位置に応じて入力された操作信号を制御部３１に出力する。
【００３９】
このように構成されたコンソール３の制御部３１は、記憶部３３に記憶されている処理プログラムに従って以下のような動作をする。
例えば、制御部３１は、操作部３５に所定操作がなされたことに基づき、通信部３２を用いて撮影装置２へ撮影オーダー情報を送信する機能を有する。
また、制御部３１は、通信部３２を用いて撮影装置２から画像データを受信する機能を有している。
また、制御部３１は、撮影装置２との間の通信状態を監視し、通信が途絶えた状態から回復したときに、撮影装置２に対し、未送信の画像データの送信を要求する機能を有している。
また、制御部３１は、撮影装置から未予約の状態の（撮影オーダー情報が紐づけられていない）画像データを受信した場合に、当該画像データに撮影オーダー情報を紐づける機能を有している。
【００４０】
なお、コンソール３の代わりに、限定的なコンソール機能を有する携帯端末（タブレット、スマートフォン等）を用いるようにしてもよい。
また、その際、撮影装置２にＷｅｂ連携機能を持たせ、携帯端末と撮影装置２をブラウザベースで連携させるようにしてもよい。
また、撮影オーダー情報と紐づけられていない画像データのリストを表示部３４に表示するようにしてもよい。
また、コンソール３と通信可能な携帯端末を用いたり、放射線照射装置１や撮影室にモニターを備えたりし、これらの操作に基づいて未予約の状態で生成した画像データに撮影オーダーを紐づけるようにしてもよい。
【００４１】
〔放射線撮影システムの動作〕
次に、放射線撮影システム１００の動作について説明する。
図４又は５は本実施形態に係る放射線撮影システム１００を用いた検査の流れを表すラダーチャート、図６〜９は本実施形態の変形例に係る放射線撮影システムを用いた検査の流れを表すラダーチャートである。
【００４２】
（動作例）
本実施形態の放射線撮影システム１００を用いた検査の基本的な流れは図４に示したようなものとなる。
まず、準備された撮影装置２が撮影待機状態の状態となる（ステップＡ１）。
その後、ユーザーがコンソール３の操作部３５を介して撮影の予約を行うと（ステップＡ２）、コンソール３が撮影オーダー情報を撮影装置２へ送信する（ステップＡ３）。
【００４３】
この状態で放射線照射装置１が被検者及びその背後の撮影装置２へ向けて放射線を照射すると（ステップＡ４）、撮影装置２が放射線を検知して直ちに電荷の蓄積（撮影）を行う（ステップＡ５）。そして、画像データを生成し（ステップＡ６）、生成した画像データを記憶部３３へ記憶する（ステップＡ７）。その際、生成した画像データには、撮影オーダー情報や付帯情報等が紐づけられる。そして、撮影装置２が画像データをコンソール３へ送信する（ステップＡ８）。
ステップＡ８の後は、撮影装置２が再び撮影待機状態へ遷移する（ステップＡ１）。
【００４４】
コンソール３は、画像データを受信すると、それを記憶部３３へ記憶する（ステップＡ９）。そして、コンソール３は、受信した画像データに基づく放射線画像を表示部３４に表示し（ステップＡ１０）、画像データを受信したことを通知するデータ受信完了通知を撮影装置２へ送信する（ステップＡ１１）。
撮影装置２は、データ受信完了通知を受信すると、記憶部３３に記憶していた画像データを削除する（ステップＡ１２）。
【００４５】
ここで、外部の電磁波の影響等により撮影装置２とコンソール３との通信が途絶えてしまった場合、ユーザーが撮影の予約を行っても（ステップＡ２）、コンソール３は、撮影オーダー情報を撮影装置２へ送信することができない（ステップＡ３ｆ）。しかし、本実施形態の撮影装置２は、放射線の照射を検知して自律的に撮影を行うため、放射線照射装置１から放射線が照射されれば（ステップＡ４）、通信状態に異常がない場合と同様に撮影、画像データの生成（ステップＡ５，Ａ６）を行うことができる。
しかし、この段階では、撮影オーダー情報が撮影装置２に届いていないため、ステップＡ７において画像データに撮影オーダー情報等は紐づけられない。また、撮影装置２は画像データを送信することができない（ステップＡ８ｆ）。
このため、コンソール３はステップＡ９〜Ａ１１を行うことができず、それに伴い、撮影装置２はステップＡ１２を行うことができない。
【００４６】
その後、撮影装置２とコンソール３との通信が回復すると、コンソール３がそれを検知し（ステップＡ１３）、未送信の（記憶部２５に残っている）画像データの有無を確認する確認信号を撮影装置２へ送信する（ステップＡ１４）。
撮影装置２は、確認信号を受信すると、未送信の画像データに関する未送信画像情報（ＩＤ等）をコンソール３へ送信する（ステップＡ１５）。
そして、コンソール３は、未送信画像情報を受信すると、その一覧を表示部３４に表示する（ステップＡ１６）。
【００４７】
ここで、ユーザーが、送信できなかった撮影オーダー情報と、未送信画像情報の一覧とを照らし合わせ、操作部３５を介して一の未送信画像情報に対応する撮影オーダー情報を指定すると（ステップＡ１７）、コンソール３が未送信の画像データのうち指定された撮影オーダー情報に対応する画像データの送信を要求するデータ要求信号を撮影装置２へ送信する（ステップＡ１８）。  撮影装置２は、データ要求信号を受信すると、指定された画像データを記憶部２５から読み出し（ステップＡ１９）、コンソール３へ送信する（ステップＡ２０）。
コンソール３は、指定された画像データを受信すると、画像データの記憶、放射線画像の表示、データ受信完了通知の送信（ステップＡ９〜Ａ１１）を行い、撮影装置２は、画像データ削除（ステップＡ１２）を行う。
【００４８】
なお、ここでは、コンソール３において撮影オーダーを一つずつ指定し、撮影装置２で未送信の画像データ紐づけてからコンソール３へ送信するようにしたが、データ要求信号を送信した後、未送信の画像データを一括して受信し、コンソール３において紐づけを行うようにしてもよい。
また、ここでは、一の検査において複数の撮影オーダー情報が存在し、撮影オーダー情報の送信（ステップＡ３）を撮影毎に行う場合の動作について説明したが、最初のステップＡ３において複数の撮影オーダー情報を一括で送信し、２回目以降のステップＡ３を行わないようにしてもよい。このようにすれば、検査の途中でコンソール３が故障した場合にも対応することができる。
また、ここでは、撮影予約（ステップＡ１）から画像データの削除（ステップＡ１２）までの一連の動作を二回行う場合について説明したが、この一連の動作は一回限りの場合もあれば、三回以上繰り返される場合もある。
また、未予約の状態で生成した画像データに対して、撮影オーダー情報の一覧から割当てを行うようにしてもよい。
【００４９】
（変形例１）
上記動作例では、送信済の画像データを撮影毎に削除したが、検査終了後に、送信済の画像データを記憶部２５から一括して削除するようにしてもよい。
【００５０】
このようにした場合、検査の流れは図５に示したようなものとなる。
まず、上述した動作例と同様にステップＡ１〜Ａ１１の動作を行う。ステップＡ７では「未送信」の送信状態情報が画像データに紐づけられる。
撮影装置２は、データ受信完了通知を受信すると、画像データに紐づけられた送信状態情報を「送信済」に更新する（ステップＡ１２Ａ）。
【００５１】
ここで、撮影装置２とコンソール３との通信が途絶えてしまった場合、撮影装置２が画像データをコンソール３へ送信することができない（ステップＡ８ｆ）。このため、コンソール３はステップＡ９〜Ａ１１を行うことができず、それに伴い、撮影装置２はステップＡ１２Ａを行うことができない。すなわち、画像データに紐づけられた送信状態情報が「未送信」のままとなる。
【００５２】
その後、撮影装置２とコンソールとの通信が回復すると、コンソール３及び撮影装置２は、上記動作例と同様にステップＡ１３〜Ａ１１の動作を行う。
撮影装置２は、データ受信完了通知を受信すると、未送信になっていた画像データに紐づけられた送信状態情報を「送信済」に更新する（ステップＡ１２Ａ）。
その後、ユーザーが操作部３５を介して検査の終了を指示すると（ステップＡ２１）、コンソール３が画像データの削除を要求するデータ削除信号を撮影装置２へ送信する（ステップＡ２２）。
撮影装置２は、データ削除信号を受信すると、記憶部３３に記憶されている画像データのうち送信状態情報が「送信済」になっているものを一括削除する（ステップＡ２３）。
【００５３】
なお、ここでは、検査終了の指示を契機として、送信状態情報が「送信済」になっている画像データを一括削除したが、記憶部２５の記憶容量が所定値以下に低下したことに基づいて自動的に削除するようにしてもよい。
また、ここでは、撮影予約（ステップＡ１）から送信状態情報の更新（ステップＡ１２Ａ）までの一連の動作を二回行う場合について説明したが、この一連の動作は一回限りの場合もあれば、三回以上繰り返される場合もある。
【００５４】
（変形例２）
上記放射線画像撮影装置２において、制御部２１に、コンソール３から検査開始の指示を受信したことを契機として、放射線検出部２２及び読み出し部２３を撮影待機状態に遷移させる機能や、コンソール３からの検査終了の指示を受信したことを契機として、撮影待機状態を終了させる機能を持たせるようにしてもよい。
【００５５】
このようにした場合、検査の流れは図６に示したようなものとなる。
まず、ユーザーがコンソール３の操作部３５を介して検査の開始を指示すると（ステップＡ３１）、コンソール３が撮影待機状態への遷移を要求する遷移要求信号を撮影装置２へ送信する（ステップＡ３２）。
撮影装置２は、遷移要求信号を受信すると、これを契機として撮影待機状態に遷移する（ステップＡ１）。
【００５６】
その後、上記動作例や変形例１と同様にステップＡ２〜Ａ９を行う。なお、図６には、ステップＡ３２の後、ステップＡ１〜Ａ９を二回繰り返す場合を例示したが、この一連の動作は一回限りの場合もあれば、三回以上繰り返される場合もある。
その後、ユーザーがコンソール３の操作部３５を介して検査の終了を指示すると（ステップＡ２１）、コンソール３が自律駆動の終了を要求する自律終了信号を撮影装置２へ送信する（ステップＡ３３）。
撮影装置２は、自律終了信号を受信すると、撮影待機状態を解除する（ステップＡ３４）。
【００５７】
なお、図６には示さなかったが、撮影の後には、上記動作例と同様の画像データの削除に関する動作（ステップＡ１１，Ａ１２）、又は上記変形例１と同様の画像データの一括削除に関する動作（ステップＡ１１，Ａ１２Ａ，Ａ２１〜Ａ２３）が行われる。
また、図６には示さなかったが、コンソール３と撮影装置との通信が途絶え、その後回復した場合には、上記動作例又は変形例１と同様の未送信画像データの送信に関する動作（ステップＡ１３〜Ａ１２又はステップＡ１３〜Ａ１２Ａ）が行われることとなる。
【００５８】
（変形例２Ａ）
また、上記変形例２では、検査開始の指示を撮影待機状態への遷移のトリガーとし、検査終了の指示を撮影待機状態終了のトリガーとしたが、コンソール３と撮影装置２との間で撮影予定枚数のやり取りを可能に構成し、放射線検出部２２及び読み出し部２３が検査予定枚数の画像データの生成を終えたことを契機として撮影待機状態を終了させるようにしてもよい。
【００５９】
このようにした場合、検査の流れは図７に示したようなものとなる。
具体的には、ステップＡ３１の後、コンソール３が状態遷移要求信号を撮影装置２へ送信するとともに、この検査における放射線画像の総撮影枚数も送信する（ステップＡ３２Ａ）。なお、ここでは、総撮影枚数が２枚の場合について説明するが、１枚であっても３枚以上であってもよい。
【００６０】
そして、ステップＡ２の後、コンソール３が１枚目の撮影オーダー情報を撮影装置２へ送信する（ステップＡ３Ａ）。
その後、上記動作例や変形例１と同様にステップＡ４〜Ａ８を行う。
そして、ステップＡ８の後、撮影装置２が撮影枚数のチェックを行う（ステップＡ３５）。ここでは、総撮影枚数及び撮影済枚数を確認するとともに両者を比較する。ここで、撮影済枚数が総撮影枚数未満であれば、再びステップＡ１以降の動作を行う。
【００６１】
そして、二回目のステップＡ２の後、コンソール３が二枚面の撮影オーダー情報を撮影装置２へ送信する（ステップＡ３Ａ）。
そして、二回目のステップＡ４〜Ａ８の後、撮影装置２が再び撮影枚数のチェックを行う（ステップＡ３５Ａ）。ここでは、二回目の撮影で撮影済枚数が総撮影枚数と等しくなるため、その後、撮影装置２は撮影待機状態を自動的に終了する（ステップＡ３４）。
【００６２】
なお、図７には示さなかったが、撮影の後には、上記動作例と同様の画像データの削除に関する動作（ステップＡ１１，Ａ１２）、又は上記変形例１と同様の画像データの一括削除に関する動作（ステップＡ１１，Ａ１２Ａ，Ａ２１〜Ａ２３）が行われる。
また、図７には示さなかったが、コンソール３と撮影装置との通信が途絶え、その後回復した場合には、上記動作例又は変形例１と同様の未送信画像データの送信に関する動作（ステップＡ１３〜Ａ１２又はステップＡ１３〜Ａ１２Ａ）が行われることとなる。
【００６３】
また、本変形例２Ａのようにした場合、制御部２１に、検査予定枚数の撮影を終えてから所定時間に追加撮影要求が無かったことを契機として撮影待機状態を終了させる機能を更に持たせるようにしてもよい。
【００６４】
（変形例３）
また、制御部２１に、放射線検出部２２及び読み出し部２３が画像データを生成することが可能な状態であるか否かを判断する機能を持たせるようにしてもよい。このようにすれば、制御部２１は、本発明における状態判断手段をなすこととなる。
また、放射線照射装置１を、曝射スイッチ１２が操作されたことを契機として照射の可否を確認する照射確認信号を撮影装置２へ送信することが可能に構成するとともに、撮影装置２と放射線照射装置１との間で照射確認信号の送受信を可能に構成し、制御部２１に、放射線検出部２２及び読み出し部２３が画像データを生成することができる状態であると判断した場合に通信部２４を用いて放射線の照射を許可しない旨の許可信号を放射線照射装置１へ送信し、画像データを生成できない状態であると判断した場合に放射線の照射を許可しない旨の拒否信号を送信する機能を持たせるようにしてもよい。
【００６５】
このようにした場合、検査の流れは図８に示したようなものとなる。
具体的には、ステップＡ１〜Ａ３の後、撮影装置２が撮影待機状態である旨の待機中通知をコンソール３へ送信する（ステップＡ４１）。
コンソール３は、待機中通知を受信すると、撮影が可能である旨をユーザーに報知する（ステップＡ４２）。具体的には、例えば表示部３４に表示する。
【００６６】
その後、ユーザーが曝射スイッチ１２を操作すると（ステップＡ４３）、放射線照射装置１が放射線照射の可否を確認する確認信号を撮影装置２へ送信する（ステップＡ４４）。
撮影装置２は、確認信号を受信すると、撮影可否を判定する（ステップＡ４５）。ここで、撮影装置２が、撮影可能と判定した場合には、撮影の許可を通知する許可信号を放射線照射装置１へ送信する（ステップＡ４６）。
その後、上記動作例や変形例１と同様にステップＡ４〜Ａ１０を行う。
ステップＡ１０の後は、撮影装置２が再び撮影待機状態へ遷移する（ステップＡ４１）。
【００６７】
ここで、例えば撮影装置２の内蔵バッテリー残量が所定以下になる等、撮影装置２が異常を検出すると（ステップＡ４７）、撮影待機状態を終了し（ステップＡ４８）、撮影を行うことができない旨の撮影不可通知をコンソール３へ送信する（ステップＡ４９）。
コンソール３は、撮影不可通知を受信すると、撮影ができない旨をユーザーに報知する（ステップＡ４２Ａ）。具体的には、例えば表示部３４に表示する。
この場合、ユーザーが曝射スイッチ１２を操作すると（ステップＡ４３）、放射線照射装置１が確認信号を撮影装置２へ送信するが（ステップＡ４４）、撮影装置２は撮影待機状態を終了しているため、撮影不可と判定する（ステップＡ４５Ａ）。そして、撮影装置２が撮影を拒否する旨の拒否信号を放射線照射装置１へ送信する（ステップＡ４６Ａ）。
【００６８】
なお、図８には示さなかったが、撮影の後には、上記動作例と同様の画像データの削除に関する動作（ステップＡ１１，Ａ１２）、又は上記変形例１と同様の画像データの一括削除に関する動作（ステップＡ１１，Ａ１２Ａ，Ａ２１〜Ａ２３）が行われる。
【００６９】
また、変形例３において、撮影装置２からコンソール３に放射線検出不可（電源投入直後や、放射線検出後の蓄積〜読出〜次撮影準備中）であることを通知し、コンソール３上で撮影不可であることを表示するようにしてもよい。
また、撮影装置２が光・音声・振動等により放射線検出不可状態であることを報知するようにしてもよい。
また、撮影装置２が電池残量低下により撮影可能枚数が減少、撮影不可となる場合に、それぞれの状態に応じた光・音声・振動等で利用者に報知するようにしてもよい。
【００７０】
（変形例３Ａ）
変形例３において、撮影装置２に、撮影が可能であるか否か（自らの状態が撮影待機状態であるか否か）を報知する報知手段を備えるようにしてもよい。
このようにした場合、撮影装置２とコンソール３との通信が途絶えてしまっている状態では、図９に示したような動作となる。
具体的には、ステップＡ１の後、撮影装置２がコンソール３に代わって撮影が可能である旨をユーザーに報知する（ステップＡ４２Ａ）。
その後、ユーザーによって曝射スイッチ１２が操作されると（ステップＡ４３）、上記変形例３と同様に、ステップ４４〜ステップＡ７を行う。その後のステップＡ８〜Ａ１０，Ａ４１，Ａ４２は、撮影装置２とコンソール３との通信が途絶えているため行わない。
【００７１】
その後、撮影装置２が異常を検出すると（ステップＡ４７）、撮影待機状態を終了する（ステップＡ４８）。そして、撮影装置２がコンソール３に代わって撮影ができない旨をユーザーに報知する（ステップＡ４２Ｂ）。
この場合、ユーザーが曝射スイッチ１２を操作すると（ステップＡ４３）、放射線照射装置１が確認信号を撮影装置２へ送信するが（ステップＡ４４）、撮影装置２は撮影待機状態を終了しているため、撮影不可と判定する（ステップＡ４５Ａ）。そして、撮影装置２が撮影を拒否する旨の拒否信号を放射線照射装置１へ送信する（ステップＡ４６Ａ）。
【００７２】
なお、ステップＡ４６Ａの前又は後に、撮影ができない旨をユーザーに再度報知するようにしてもよい。このようにすれば、報知（ステップＡ４２Ｂ）が行われてから曝射スイッチの操作（ステップＡ４３）が行われるまで時間が経った場合や、当該報知（ステップＡ４２Ｂ）を見逃したあるいは聴き逃した場合でも、ユーザーに撮影ができないことを認識させることができる。
また、図９には示さなかったが、撮影の後には、上記動作例と同様の画像データの削除に関する動作（ステップＡ１１，Ａ１２）、又は上記変形例１と同様の画像データの一括削除に関する動作（ステップＡ１１，Ａ１２Ａ，Ａ２１〜Ａ２３）が行われる。
また、図９には示さなかったが、コンソール３と撮影装置との通信が回復した場合には、上記動作例又は変形例１と同様の未送信画像データの送信に関する動作（ステップＡ１３〜Ａ１２又はステップＡ１３〜Ａ１２Ａ）が行われることとなる。
【００７３】
（変形例４）
上記動作例及び変形例は、放射線照射装置１、撮影装置２、コンソール３を備えた放射線撮影システムを用いたものであったが、図１０に示したように、撮影装置２と有線又は無線で通信可能に接続された携帯端末４を備えた放射線撮影システム１００Ａを用いてもよい。
【００７４】
〔携帯端末の構成〕
携帯端末４は、図１１に示したように、制御部４１や、通信部４２、記憶部４３、表示部４４、操作部４５等を備えて構成されており、各部４１〜４５はバス４６により接続されている。
【００７５】
制御部４１は、ＣＰＵ、ＲＡＭ等で携帯端末４の各部の動作を統括的に制御するように構成されている。具体的には、操作部４５から操作信号が入力されたことや撮影装置２から各種信号やデータを受信したことに基づいて、記憶部３３に記憶されている各種処理プログラムを読み出してＲＡＭに展開し、当該処理プログラムに従って各種処理を実行したり、表示部４４の表示内容を制御したりする。
【００７６】
通信部４２は、ネットワークインターフェース等により構成され、ＬＡＮ、ＷＡＮ、インターネット等の通信ネットワークを介して接続された外部装置との間でデータの送受信を行う。なお、通信部４２は、携帯電話回線等を用いて無線通信を行い、通信ネットワークを介して接続された外部装置との間でデータの送受信を行うものであってもよい。
【００７７】
記憶部４３は、ＨＤＤ（Hard Disk Drive）や半導体メモリー等により構成され、各種処理プログラム、当該プログラムの実行に必要なパラメーターやファイル等を記憶している。
また、記憶部４３は、撮影装置２から送信されてきた放射線画像の各種画像データや、各種処理プログラムを記憶することが可能となっている。
また、記憶部４３は、コンソール３から受信した検査情報を記憶することも可能となっている。
【００７８】
表示部４４は、ＬＣＤ等のモニターを備えて構成されており、制御部４１から入力される表示信号の指示に従って各種画面を表示する。
【００７９】
操作部４５は、表示部４４に積層されたタッチパネル又は各種キーを備えたキーボードやマウス等のポインティングデバイスを備えて構成され、タッチパネルに対するタッチ操作の位置又はキーボードに対するキー操作やマウス操作に応じて入力された操作信号を制御部４１に出力する。
【００８０】
このように構成された携帯端末４の制御部４１は、記憶部４３に記憶されている処理プログラムに従って以下のような動作をする。
例えば、制御部４１は、撮影装置２からエラーを通知する信号を受信すると、エラーが発生している旨の報知を行う機能を有している。
また、制御部４１は、操作部４５を介してユーザーから検査画像一覧を表示する指示を受けると、検査状況を要求する状況要求信号を撮影装置２へ送信する機能を有している。
また、制御部４１は、検査状況等及び画像データを受信すると、それらを表示部に表示する機能を有している。
また、制御部４１は、操作部４５を介してユーザーから次撮影の指定を受けると、撮影オーダー情報を送信する機能を有している。
また、制御部４１は、操作部４５を介して撮影待機状態の終了の指示を受けると、撮影待機状態を終了することを指示する信号を送信する機能を有している。
【００８１】
〔放射線撮影システムの動作〕
放射線撮影システム１００Ａを上述したような構成とした場合、検査の流れは図１２，１３に示したようなものとなる。
まず、図１２に示したように、ユーザーがコンソール３の操作部３５を介して検査の開始を指示すると（ステップＢ１）、コンソール３が検査情報を撮影装置２へ送信する（ステップＢ２）。ここでは、胸部正面、胸部側面、腹部正面の３種類の撮影を行う旨の検査情報を送信することとする。
撮影装置２は、検査情報を受信すると、撮影待機状態に遷移する（ステップＢ３）。
その後、ユーザーがコンソール３の操作部３５を介して撮影オーダーの指定を行うと（ステップＢ４）、コンソール３が複数ある撮影オーダー情報の一つである胸部正面の撮影オーダー情報を撮影装置２へ送信する（ステップＢ５）。
撮影装置２は、受信した撮影オーダー情報を設定する（ステップＢ６）。この時点では、各撮影オーダー情報に紐づけられた再撮影状態情報、撮影状態情報、送信状態情報は、図１４（ａ）に示したように、全て、「（再撮影）無し」、「未撮影」、「未送信」となっている。
【００８２】
この状態で放射線照射装置１が被検者及びその背後の撮影装置２へ向けて放射線を照射すると（ステップＢ７）、撮影装置２が、放射線を検知して直ちに電荷の蓄積（撮影）を行う（ステップＢ８）。そして、画像データを生成し（ステップＢ９）、生成した画像データを記憶部３３へ記憶し（ステップＢ１０）、画像データをコンソール３へ送信する（ステップＢ１１）。すると、胸部正面の撮影オーダー情報に紐づけられた撮影状態、送信状態が、図１４（ｂ）に示したように、「撮影済」、「送信済」となる。
ステップＢ１１の後は、撮影装置２が再び撮影待機状態へ遷移する（ステップＢ３）。
コンソール３は、画像データを受信すると、それを記憶部３３へ記憶する（ステップＢ１２）。そして、コンソール３は、受信した画像データに基づく放射線画像を表示部３４に表示する（ステップＢ１３）。
【００８３】
その後、ユーザーがコンソール３の操作部３５を介して撮影オーダーの指定を行うと（ステップＢ４）、コンソール３が、今度は胸部側面の撮影オーダー情報を撮影装置２へ送信する（ステップＢ５）。その後、ステップＢ６〜Ｂ１０を行う。
ステップＢ５〜Ｂ１１の間に、コンソール３に障害が発生する等して撮影装置２とコンソール３との通信が途絶えてしまった場合、撮影装置２が画像データを送信することができない（ステップＢ１１ｆ）。すると、図１４（ｃ）に示したように、胸部側面の撮影オーダー情報に紐づけられた撮影状態は「撮影済」になるが、送信状態は「未送信」のままとなる。
その後、撮影装置２は、通信エラーになっている旨を報知し（ステップＢ１４）、通信エラーであることを通知するエラー信号を携帯端末４へ送信する（ステップＢ１５）。
携帯端末４は、エラー信号を受信すると、エラーが発生している旨を報知する（ステップＢ１６）。
【００８４】
その後、ユーザーが携帯端末４の操作部４５を介して検査画像一覧の表示を指示すると（ステップＢ１７）、携帯端末４が検査状況を要求する状況要求信号を撮影装置２へ送信する（ステップＢ１８）。
撮影装置２は、状況要求信号を受信すると、検査状況及び未送信の画像データを携帯端末４へ送信する（ステップＢ１９）。
携帯端末４は、検査状況等及び画像データを受信すると、それらを表示部４４に表示する（ステップＢ２０）。
【００８５】
その後、図１３に示したように、ユーザーが検査状況を確認し、携帯端末４の操作部を介して次撮影の指定を行うと（ステップＢ２１）、携帯端末４がコンソール３に代わって撮影オーダー情報を送信する（ステップＢ５Ａ）。ここでは、腹部正面を撮影する旨の撮影オーダー情報が送信される。
その後、撮影装置２は、ステップＢ６〜Ｂ１０を行い、画像データを携帯端末４へ送信する（ステップＢ１１Ａ）。すると、図１４（ｄ）に示したように、腹部正面の撮影オーダー情報に紐づけられた撮影状態情報は「撮影済」になるが、画像データをコンソール３へ送信できたわけではないため、送信状態情報は「未送信」のままとなる。
携帯端末４は、画像データを受信すると、それを記憶部３３へ記憶し（ステップＢ１２Ａ）、受信した画像データに基づく放射線画像を表示部４４に表示する（ステップＢ１３Ａ）。
【００８６】
ここで、ユーザーが撮影した画像を確認して再撮影が必要と判断し、携帯端末４の操作部４５を介して再撮影の指定を行うと（ステップＢ２２）、携帯端末４が撮影オーダー情報を送信する（ステップＢ５Ａ）。ここでは、腹部正面を追加撮影する旨の撮影オーダー情報が送信される。
その後、撮影装置２が受信した撮影オーダー情報を設定する（ステップＢ６）。すると、図１４（ｅ）に示したように、腹部正面追加の撮影オーダー情報が加わり、そこに紐づけられた再撮影状態情報、撮影状態情報、送信状態情報は、「（再撮影）有り」、「未撮影」、「未送信」となる。
その後、ステップＢ７〜Ｂ１０，Ｂ１１Ａ〜Ｂ１３Ａを行う。すると、図１４（ｆ）に示したように、腹部正面追加の撮影オーダー情報に紐づけられた撮影状態情報は「撮影済」になるが、画像データをコンソール３へ送信できたわけではないため、送信状態情報は「未送信」のままとなる。
【００８７】
その後、ユーザーが追加撮影なしと判断し、携帯端末４の操作部４５を介して追加の撮影が無い旨を指示すると（ステップＢ２３）、携帯端末４が撮影待機状態を終了することを指示する状態終了信号を撮影装置２へ送信する（ステップＢ２４）。
撮影装置２は、状態終了信号を受信すると、撮影待機状態を終了する（ステップＢ２５）。
【００８８】
その後、撮影装置２とコンソール３との通信が回復すると、コンソール３がそのことを通知する通知信号を撮影装置２へ送信する（ステップＢ２６）。
撮影装置２は、通知信号を受信すると、その旨を報知する（ステップＢ２７）。
また、コンソール３が未送信画像データの有無を確認する確認信号を撮影装置２へ送信する（ステップＢ２８）。
撮影装置２は、確認信号を受信すると、検査状況及び未送信の画像データに関する未送信画像情報をコンソール３へ送信する（ステップＢ２９）。
【００８９】
コンソール３は、検査状況及び未送信画像情報を受信すると、各未送信画像データが予約済の状態で生成したものであるか否かをチェックする（ステップＢ３０）。ここで、全ての画像データが予約済みの状態で生成したものであることを確認すると、コンソール３は、検査状態の整合性のチェックを行い（ステップＢ３１）、未送信画像データを一括要求するデータ要求信号を撮影装置２へ送信する（ステップＢ３２）。
撮影装置２は、データ要求信号を受信すると、未送信の画像データを記憶部２５から全て読み出し（ステップＢ３３）、それをコンソール３へ一括送信する（ステップＢ３４）。すると、図１４（ｇ）に示したように、各撮影オーダー情報に紐づけられた撮影状態情報、送信状態情報は、全て「撮影済」、「送信済」となる。
コンソール３は、未送信の画像データを受信すると、画像データの記憶（ステップＢ３５）、放射線画像の表示（ステップＢ３６）を行う。
【００９０】
なお、図１２，１３には示さなかったが、撮影の後には、上記動作例と同様の画像データの削除に関する動作（ステップＡ１１，Ａ１２）、又は上記変形例１と同様の画像データの一括削除に関する動作（ステップＡ１１，Ａ１２Ａ，Ａ２１〜Ａ２３）が行われる。
また、図１２，１３には示さなかったが、コンソール３と撮影装置との通信が途絶え、その後回復した場合には、上記動作例又は変形例１と同様の未送信画像データの送信に関する動作（ステップＡ１３〜Ａ１２又はステップＡ１３〜Ａ１２Ａ）が行われることとなる。
【００９１】
（変形例４Ａ）
変形例４において、コンソール３に、ユーザーが検査の開始を指示（ステップＢ１）した後、撮影装置２だけでなく携帯端末４へ検査情報を送信する機能、又は任意のタイミングで携帯端末４から検査情報を取得する機能を持たせるようにしてもよい。
【００９２】
コンソール３から携帯端末４へ検査情報を送信しない変形例４において、撮影装置２とコンソール３との通信が途絶えたり、コンソール３が故障したりしたときに、携帯端末４がコンソール３に代わって豊富な検査情報（例えば、患者ＩＤ、患者名、生年月日、年齢、検査コメント、放射線の照射条件等）を表示できるようにするには、コンソール３が格納しているのと同様の多くの検査情報を予め撮影装置３に送信（バックアップ）しておき、携帯端末４が撮影装置２から検査情報を取得できるようにしておく必要がある。しかし、このようにすると、撮影装置２には、膨大な量の検査情報を管理する機能を持たせる必要が生じ、制御部に過度の負荷がかかってしまう可能性がある。そこで、本変形例４Ａのようにすれば、撮影装置２が管理する検査情報を、生成した画像データと紐づけするための最低限のものに限ることができる。
また、コンソール３が故障し、他の撮影室に配置されたコンソールで検査を引き継ぐような場合にも、携帯端末４に格納された検査情報を他撮影室のコンソールに送信し、その検査情報に基づいて撮影装置２からの情報を紐付けることも可能となる。
【００９３】
（変形例４Ｂ）
また、変形例４において、放射線撮影システム１００Ａを図示しない他のコンソールと通信可能に接続し、コンソール３に受信した画像データを他のコンソールに転送する機能を持たせるとともに、撮影装置２にも生成した画像データを他のコンソールに転送する機能を持たせるようにしてもよい。
このようにすれば、撮影オーダー情報送信（ステップＢ５）の直後にコンソール３が故障しても、他のコンソールで撮影装置２から画像データを一括で受信し、撮影オーダー情報の紐づけを行うことができる。
【符号の説明】
【００９４】
１００，１００Ａ  放射線撮影システム
１  放射線照射装置
１１  ジェネレーター
１２  曝射スイッチ
１３  放射線源
２  放射線画像撮影装置
２１  制御部
２２  放射線検出部
２３  読み出し部
２４  通信部
２５  記憶部
２６  バス
３  コンソール（制御装置）
３１  制御部
３２  通信部
３３  記憶部
３４  表示部
３５  操作部
３６  バス
４  携帯端末
４１  制御部
４２  通信部
４３  記憶部
４４  表示部
４５  操作部
４６  バス
Ｘ  放射線
【図１】
2019107348.tif 000003
【図２】
2019107348.tif 000004
【図３】
2019107348.tif 000005
【図４】
2019107348.tif 000006
【図５】
2019107348.tif 000007
【図６】
2019107348.tif 000008
【図７】
2019107348.tif 000009
【図８】
2019107348.tif 000010
【図９】
2019107348.tif 000011
【図１０】
2019107348.tif 000012
【図１１】
2019107348.tif 000013
【図１２】
2019107348.tif 000014
【図１３】
2019107348.tif 000015
【図１４】
2019107348.tif 000016